(57)【要約】【課題】顔写真付きＩＤカードの台紙デザインを、被撮影者が選択できるようにする。【解決手段】ＩＤカード作成システムは、利用者を撮影する印画物作成装置１及びサーバ２を備える。印画物作成装置１は、利用者から識別情報の入力を受け付け、サーバ２から前記識別情報に対応する複数の台紙デザインを受信し、前記利用者を撮影して顔画像を生成し、前記利用者から台紙デザインの選択を受け付け、前記顔画像及び選択された台紙デザイン情報をサーバ２へ送信し、前記顔画像及び選択された台紙デザインを合成した画像を印画物にプリントして出力する。サーバ２は、前記顔画像、前記台紙デザイン情報が示す台紙デザイン及び前記利用者の個人情報を用いてＩＤカードの券面画像を生成する。【選択図】図１
2019022954.tif 000002
【特許請求の範囲】
【請求項１】
利用者を撮影する印画物作成装置及びサーバを備えるＩＤカード作成システムであって、
前記印画物作成装置は、利用者から識別情報の入力を受け付け、前記サーバから前記識別情報に対応する複数の台紙デザインデータを受信し、前記利用者を撮影して顔画像を生成し、前記利用者から台紙デザインの選択を受け付け、前記顔画像及び選択された台紙デザイン情報を前記サーバへ送信し、前記顔画像及び選択された台紙デザインを合成した画像を印画物にプリントして出力し、
前記サーバは、氏名を含む個人情報及び複数の台紙デザインデータを保存し、前記印画物作成装置から前記識別情報が通知されると、前記識別情報に対応する複数の台紙デザインデータを前記印画物作成装置へ送信し、前記印画物作成装置から前記顔画像及び選択された台紙デザイン情報を受信すると、前記顔画像、前記台紙デザイン情報が示す台紙デザイン及び前記個人情報を用いてＩＤカードの券面画像を生成することを特徴とするＩＤカード作成システム。
【請求項２】
前記サーバは、前記印画物作成装置から前記識別情報が通知されると、前記識別情報に対応する個人情報を前記印画物作成装置へ送信し、
前記印画物作成装置は、前記顔画像、前記選択された台紙デザイン、及び前記個人情報を合成した画像を印画物にプリントして出力することを特徴とする請求項１に記載のＩＤカード作成システム。
【請求項３】
前記サーバから前記券面画像を取得し、前記券面画像をカード基材にプリントしてＩＤカードを作成するカードプリンタをさらに備えることを特徴とする請求項１又は２に記載のＩＤカード作成システム。
【請求項４】
印画物作成装置が利用者から識別情報の入力を受け付け、前記識別情報をサーバへ送信し、
氏名を含む個人情報、及び複数の台紙デザインデータを保存する前記サーバが、前記識別情報に対応する個人情報及び複数の台紙デザインデータを前記印画物作成装置へ送信し、
前記印画物作成装置が、前記利用者を撮影して顔画像を生成し、前記サーバから受信した複数の台紙デザインを表示して前記利用者から台紙デザインの選択を受け付け、前記顔画像及び選択された台紙デザイン情報を前記サーバへ送信し、前記顔画像、選択された台紙デザイン及び前記個人情報を合成した画像を印画物にプリントして出力し
前記サーバが、前記顔画像、前記台紙デザイン情報が示す台紙デザイン及び前記個人情報を用いて、ＩＤカードの券面画像を生成し、
カードプリンタが、前記券面画像をカード基材にプリントしてＩＤカードを作成することを特徴とするＩＤカード作成方法。
【請求項５】
利用者から識別情報の入力を受け付ける入力部と、
前記利用者を撮影し、顔画像を生成する撮影部と、
前記識別情報をサーバへ送信し、前記サーバから前記識別情報に対応する個人情報及び複数の台紙デザインデータを受信する通信部と、
前記利用者から台紙デザインの選択を受け付ける選択部と、
前記顔画像、前記個人情報、及び選択された台紙デザインを合成した画像を印画物にプリントして出力するプリンタと、
を備え、
前記通信部は、前記顔画像及び選択された台紙デザイン情報を前記サーバへ送信することを特徴とする印画物作成装置。
【発明の詳細な説明】
【技術分野】
【０００１】
本発明は、顔画像が印画されたＩＤカードを作成するＩＤカード作成システム及びＩＤカード作成方法に関する。また、本発明は、ＩＤカード用の顔画像の撮影を行う印画物作成装置に関する。
【背景技術】
【０００２】
免許証、パスポート、履歴書等に貼付するための証明写真等を撮影するボックス型の印画物作成装置が知られている。印画物作成装置は、人物の顔画像の撮影を行い、必要な大きさの写真を印刷する。
【０００３】
企業の社員証やスポーツクラブ等の会員証、学生証等のカードで使用する顔画像を撮影する場合、印刷した写真を貼付して使用する以外に、撮影装置を用いてカード発行要求者の顔画像を撮影し、撮影装置に接続されたカード作成装置へ顔画像情報を送信し、カード作成装置が顔画像情報及び発行要求者の個人情報を用いて顔画像入りのＩＤカードを作成するという方法がある（例えば特許文献１参照）。
【０００４】
しかし、従来のＩＤカード作成システムでは、単一の台紙デザインでカードを作成しており、社員や会員等の発行要求者がカードの台紙デザインを選択することができなかった。
【先行技術文献】
【特許文献】
【０００５】
【特許文献１】特開２００２−２３２５６号公報
【発明の概要】
【発明が解決しようとする課題】
【０００６】
本発明は、上記従来の実状に鑑みてなされたものであり、被撮影者が、作成される顔写真付きＩＤカードの台紙デザインを選択できるＩＤカード作成システム、ＩＤカード作成方法、及び印画物作成装置を提供することを目的とする。
【課題を解決するための手段】
【０００７】
本発明のＩＤカード作成システムは、利用者を撮影する印画物作成装置及びサーバを備えるＩＤカード作成システムであって、前記印画物作成装置は、利用者から識別情報の入力を受け付け、前記サーバから前記識別情報に対応する複数の台紙デザインデータを受信し、前記利用者を撮影して顔画像を生成し、前記利用者から台紙デザインの選択を受け付け、前記顔画像及び選択された台紙デザイン情報を前記サーバへ送信し、前記顔画像及び選択された台紙デザインを合成した画像を印画物にプリントして出力し、前記サーバは、氏名を含む個人情報及び複数の台紙デザインデータを保存し、前記印画物作成装置から前記識別情報が通知されると、前記識別情報に対応する複数の台紙デザインデータを前記印画物作成装置へ送信し、前記印画物作成装置から前記顔画像及び選択された台紙デザイン情報を受信すると、前記顔画像、前記台紙デザイン情報が示す台紙デザイン及び前記個人情報を用いてＩＤカードの券面画像を生成するものである。
【０００８】
本発明の一態様では、前記サーバは、前記印画物作成装置から前記識別情報が通知されると、前記識別情報に対応する個人情報を前記印画物作成装置へ送信し、前記印画物作成装置は、前記顔画像、前記選択された台紙デザイン、及び前記個人情報を合成した画像を印画物にプリントして出力する。
【０００９】
本発明の一態様では、前記サーバから前記券面画像を取得し、前記券面画像をカード基材にプリントしてＩＤカードを作成するカードプリンタをさらに備える。
【００１０】
本発明のＩＤカード作成方法は、印画物作成装置が利用者から識別情報の入力を受け付け、前記識別情報をサーバへ送信し、氏名を含む個人情報、及び複数の台紙デザインデータを保存する前記サーバが、前記識別情報に対応する個人情報及び複数の台紙デザインデータを前記印画物作成装置へ送信し、前記印画物作成装置が、前記利用者を撮影して顔画像を生成し、前記サーバから受信した複数の台紙デザインを表示して前記利用者から台紙デザインの選択を受け付け、前記顔画像及び選択された台紙デザイン情報を前記サーバへ送信し、前記顔画像、選択された台紙デザイン及び前記個人情報を合成した画像を印画物にプリントして出力し前記サーバが、前記顔画像、前記台紙デザイン情報が示す台紙デザイン及び前記個人情報を用いて、ＩＤカードの券面画像を生成し、カードプリンタが、前記券面画像をカード基材にプリントしてＩＤカードを作成するものである。
【００１１】
本発明の印画物作成装置は、利用者から識別情報の入力を受け付ける入力部と、前記利用者を撮影し、顔画像を生成する撮影部と、前記識別情報をサーバへ送信し、前記サーバから前記識別情報に対応する個人情報及び複数の台紙デザインデータを受信する通信部と、前記利用者から台紙デザインの選択を受け付ける選択部と、前記顔画像、前記個人情報、及び選択された台紙デザインを合成した画像を印画物にプリントして出力するプリンタと、を備え、前記通信部は、前記顔画像及び選択された台紙デザイン情報を前記サーバへ送信することを特徴とするものである。
【発明の効果】
【００１２】
本発明によれば、被撮影者が、作成される顔写真付きＩＤカードの台紙デザインを選択できる。被撮影者は、自分の好みのデザインのＩＤカードを取得することができる。
【図面の簡単な説明】
【００１３】
【図１】本発明の実施形態に係るＩＤカード作成システムの概略図である。
【図２】同実施形態に係る印画物作成装置の概略構成図である。
【図３】演算制御装置のハードウェア構成図である。
【図４】社員証発行プログラムを実行することで実現される機能ブロック図である。
【図５】同実施形態に係るサーバの概略構成図である。
【図６】同実施形態に係るＩＤカード作成方法を説明するシーケンス図である。
【発明を実施するための形態】
【００１４】
以下、本発明の実施の形態を図面に基づいて説明する。
【００１５】
図１は本発明の実施形態に係るＩＤカード作成システムの概略構成図である。図１に示すように、ＩＤカード作成システムは、印画物作成装置１、サーバ２及びカードプリンタ３を備える。印画物作成装置１とサーバ２とはインターネット等のネットワークを介して通信可能に接続されている。印画物作成装置１は、撮影装置、ストロボ、プリンタ等を備えたボックス型の写真撮影装置である。以下の実施形態では、企業の社員である利用者Ｐが、顔写真付き社員証を発行する例について説明する。
【００１６】
利用者Ｐが印画物作成装置１に企業コード及び社員番号等の識別情報を入力すると、印画物作成装置１は、入力された識別情報をサーバ２に通知し、利用者Ｐが社員であるか否かを問い合わせる。サーバ２は、社員情報（個人情報）を管理しており、印画物作成装置１から通知された識別情報と社員情報とを照合する。社員情報は、社員番号、氏名、所属部署等の情報を含む。
【００１７】
識別情報が正規のものである場合、サーバ２は、照合結果と共に、利用者Ｐの社員情報と、社員証に利用可能な複数の台紙デザインデータとを印画物作成装置１へ送信する。
【００１８】
印画物作成装置１は、識別情報が正規のものであるという照合結果をサーバ２から受信すると、利用者Ｐの顔を撮影する。また、印画物作成装置１は、サーバ２から受信した複数の台紙デザインを表示し、利用者Ｐから台紙デザインの選択を受け付ける。印画物作成装置１は、顔画像、選択された台紙デザイン、及びサーバ２から受信した社員情報を合成し、印画紙にプリントして、印画物５を作成する。この印画物５には、顔画像５０及び社員情報５１が印刷されており、正規の社員証４が発行されるまでの暫定的な社員証として利用することができる。
【００１９】
印画物作成装置１は、利用者Ｐの顔画像データと、選択した台紙デザイン情報とをサーバ２へ送信する。サーバ２は、利用者Ｐの顔画像及び選択した台紙デザイン情報を、社員情報と対応付けて保存する。サーバ２は、利用者Ｐの社員情報、顔画像、及び利用者Ｐが選択した台紙デザインを用いて社員証の券面画像を生成し、カードプリンタ３へ送信する。
【００２０】
カードプリンタ３は、券面画像をカード基材にプリントして、顔写真４０及び社員情報４１が掲載された社員証４を作成する。カード基材の材料には、ポリ塩化ビニル（ＰＶＣ）やポリエチレンテレフタレート（ＰＥＴ）などを用いることができる。カードプリンタ３は、例えば、昇華型再転写方式のプリンタである。昇華型再転写は、カード基材へ直接プリントするのではなく、透明な再転写フィルムに一旦プリントした画像をカード基材へ転写するものである。社員証４は、ＩＣチップを内蔵するものでもよい。
【００２１】
印画物作成装置１で社員証４のための顔画像を撮影する際に、利用者Ｐは社員証４の台紙デザインを複数候補の中から選択できる。そのため、利用者Ｐは、自分の好みに合ったデザイン性の高い社員証４を取得することができる。また、印画物作成装置１が、サーバ２から利用者Ｐの社員情報を受信し、社員証４の券面とほぼ同じ画像をプリントした印画物５を作成するため、利用者Ｐは社員証４が作成されるまでの期間、印画物５を暫定的な仮社員証として使用することができる。
【００２２】
図２は、印画物作成装置１の概略構成を示す。印画物作成装置１は、演算制御装置１０と、利用者Ｐを撮影する撮影装置１２と、印画物をプリントするプリンタ１４と、撮影装置１２が利用者Ｐを撮影する際に利用者Ｐに光を照射するストロボ１５と、サーバ２との通信を行う通信部１６とを備える。また、印画物作成装置１は、利用者Ｐから各種指示を受け付けるタッチパネル１３を備えている。タッチパネル１３の代わりに、液晶ディスプレイ等の表示部と、キーボード、マウス、ボタン等の入力手段とを設けてもよい。
【００２３】
印画物作成装置１には、二次元コード等を読み取るコード読取部１７が設けられていてもよい。
【００２４】
撮影装置１２は、例えばデジタルカメラであり、レンズ、シャッタ、ＣＭＯＳセンサ、Ａ／Ｄ変換器等を有する。撮影装置１２が利用者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、顔画像データを生成する。撮影装置１２は、顔画像データを演算制御装置１０へ出力する。
【００２５】
タッチパネル１３は、操作ボタンを表示し、操作ボタンが押されると、その操作ボタンに対応した操作指示を受け付ける。
【００２６】
演算制御装置１０は、撮影装置１２、タッチパネル１３、プリンタ１４、ストロボ１５、通信部１６、及びコード読取部１７に接続されており、各部の制御やデータの受け渡しを行う。
【００２７】
図３に、演算制御装置１０のハードウェア構成を示す。演算制御装置１０は、ＣＰＵ（中央演算処理部）１０１、メインメモリ１０２、記憶装置１０３、及び入出力部１０４を有する。演算制御装置１０の各部はバスを介して接続されている。
【００２８】
記憶装置１０３は、制御プログラム及び社員証発行プログラムを格納する。記憶装置１０３は例えばフラッシュメモリ等の不揮発性メモリや、ハードディスクドライブ等である。
【００２９】
ＣＰＵ１０１は、制御プログラムをメインメモリ１０２にロードして実行することで、印画物作成装置１の各部を制御する制御部として機能する。
【００３０】
また、ＣＰＵ１０１が社員証発行プログラムをメインメモリ１０２にロードして実行することで、図４に示すように、識別情報入力部１１１、問合せ処理部１１２、撮影処理部１１３、台紙デザイン選択部１１４、合成部１１５、画像送信処理部１１６及びプリント処理部１１７が実現される。
【００３１】
識別情報入力部１１１は、タッチパネル１３又はコード読取部１７を介して、利用者Ｐから識別情報の入力を受け付ける。利用者Ｐは、会社から事前に通知されている識別情報を入力する。識別情報は、例えば、企業コード及び社員番号である。識別情報がランダムな文字列を含んでいてもよい。識別情報は、タッチパネル１３に表示されたキーボード画面をタッチして入力してもよいし、識別情報を示す二次元コードをコード読取部１７にかざして読み取らせてもよい。
【００３２】
問合せ処理部１１２は、利用者Ｐから入力された識別情報を、通信部１６を用いてサーバ２に通知し、正規の識別情報であるか否か問い合わせる。識別情報が正規のものであった場合、問合せ処理部１１２は、サーバ２から照合結果と共に利用者Ｐの社員情報及び複数の台紙デザインデータを受信する。
【００３３】
撮影処理部１１３は、撮影装置１２及びストロボ１５を制御して、利用者Ｐの撮影処理を行い、利用者Ｐの顔画像データを取得する。
【００３４】
台紙デザイン選択部１１４は、サーバ２から受信した複数の台紙デザインをタッチパネル１３に表示し、利用者Ｐから台紙デザインの選択を受け付ける。
【００３５】
合成部１１５は、撮影により得られた顔画像と、利用者Ｐにより選択された台紙デザインと、サーバ２から受信した社員情報とを合成し、合成画像を生成する。合成画像はタッチパネル１３に表示され、利用者Ｐは社員証４の完成イメージを確認することができる。
【００３６】
画像送信処理部１１６は、通信部１６を用いて、撮影により得られた顔画像データを、利用者Ｐがどの台紙デザインを選択したかを示す台紙デザイン情報と共にサーバ２へ送信する。
【００３７】
プリント処理部１１７は、入出力部１０４を介して、合成部１１５により生成された合成画像データをプリンタ１４へ出力する。
【００３８】
プリンタ１４は、演算制御装置１０から受け取った合成画像を用紙に印画して出力する。プリンタ１４のプリント方式は特に限定されず、インクジェット方式、昇華型熱転写方式、溶融型熱転写方式等を用いることができる。プリンタ１４から出力される印画物５は、仮社員証として利用可能なものである。
【００３９】
図５は、サーバ２の概略構成を示す。サーバ２は、通信処理部２１、照合部２２、社員証発行処理部２３、及び記憶部２４を有し、例えばコンピュータで構成される。記憶部２４は、社員情報と、複数の台紙デザインデータとを保存する。
【００４０】
社員情報は、各社員の社員番号、氏名、所属等を含む。社員情報は、企業毎に準備され、各企業の企業コード、及び選択可能な台紙デザインが規定されている。図５に示す例では、Ａ社は社員証の台紙デザインとして、デザインＤ１、Ｄ２、Ｄ３、Ｄ５を採用している。
【００４１】
通信処理部２１は、印画物作成装置１やカードプリンタ３と通信処理を行い、データの送受信を行う。
【００４２】
通信処理部２１が、印画物作成装置１から識別情報を受信すると、照合部２２が記憶部２４に保存されている社員情報と照合し、正規の識別情報であるか否か判定する。正規の識別情報であると判定した場合、通信処理部２１は、照合結果と共に、対応する社員の社員情報と、この社員が属する企業が採用している台紙デザインのデータとを印画物作成装置１へ送信する。
【００４３】
通信処理部２１が、印画物作成装置１から顔画像データ及び台紙デザイン情報を受信すると、顔画像データは、対応する社員の社員情報と対応付けて記憶部２４に保存される。また、この社員が選択した台紙デザインが社員情報に登録される。
【００４４】
社員証発行処理部２３は、顔画像データが登録された社員（印画物作成装置１で撮影を行った利用者Ｐ）について、氏名や社員番号、顔画像、選択された台紙デザイン、企業ロゴ等を用いて社員証用の券面画像を生成する。通信処理部２１は、券面画像をカードプリンタ３へ送信する。券面画像には、社員証の発行日や有効期限等が含まれていてもよい。
【００４５】
このようなＩＤカード作成システムを用いて顔写真付き社員証を作成する方法を、図６に示すシーケンス図を用いて説明する。
【００４６】
社員証を作成する企業の社員情報をサーバ２に登録する（ステップＳ１）。各社員の社員番号、氏名、所属部署や、企業コード、企業が採用する社員証の台紙デザイン等が登録される。また、社員が印画物作成装置１で撮影を行う際に入力する識別情報がランダムな文字列である場合、社員毎に識別情報を対応付けて登録する。
【００４７】
利用者Ｐが、印画物作成装置１のタッチパネル１３を操作し、社員証用顔写真撮影モードを選択すると、タッチパネル１３に識別情報の入力画面が表示される。利用者Ｐは、タッチパネル１３を操作して、識別情報を入力する（ステップＳ２）。利用者Ｐは、コード読取部１７に二次元コードをかざして識別情報を読み取らせてもよい。
【００４８】
印画物作成装置１は、入力された識別情報をサーバ２へ送信し、正規の識別情報であるか否かを問い合わせる（ステップＳ３）。サーバ２は、印画物作成装置１から受信した識別情報と、管理している社員情報とを照合し（ステップＳ４）、照合結果を応答する（ステップＳ５）。識別情報が正規のものである場合、サーバ２は照合結果の応答の際に、利用者Ｐの社員情報と、利用者Ｐが属する企業が採用している複数の台紙デザインデータとを印画物作成装置１へ送信する。
【００４９】
印画物作成装置１は、利用者Ｐの撮影を行う（ステップＳ６）。撮影した顔画像をタッチパネル１３にプレビュー表示し、利用者Ｐの要求に応じて撮り直しを行えるようにしてもよい。
【００５０】
印画物作成装置１は、サーバ２から受信した複数の台紙デザインをタッチパネル１３に表示し、台紙デザインの選択を受け付ける。利用者Ｐが台紙デザインを選択すると（ステップＳ７）、印画物作成装置１は、顔画像、選択された台紙デザイン、及びサーバ２から受信した社員情報を合成し、合成画像をタッチパネル１３に表示する（ステップＳ８）。利用者Ｐは、タッチパネル１３で社員証の完成イメージを確認する。台紙デザインの変更を受け付けるようにしてもよい。
【００５１】
利用者Ｐがタッチパネル１３に表示された合成画像を確認し、承認ボタンを押すと、印画物作成装置１は、合成画像を印画紙にプリントして、印画物を作成する（ステップＳ９）。また、印画物作成装置１は、撮影により生成された利用者Ｐの顔画像データと、利用者Ｐが選択した台紙デザイン情報（台紙選択結果）とをサーバ２へ送信する（ステップＳ１０）。
【００５２】
サーバ２は、印画物作成装置１から受信した顔画像データ及び台紙デザイン情報を社員情報に紐付けて登録する（ステップＳ１１）。
【００５３】
サーバ２は、利用者Ｐの氏名や社員番号、顔画像、選択された台紙デザイン等を合成して社員証用の券面画像を作成し（ステップＳ１２）、カードプリンタ３へ送信する（ステップＳ１３）。
【００５４】
カードプリンタ３が、券面画像をカード基材にプリントし、顔写真付き社員証４を作成する（ステップＳ１４）。
【００５５】
このように、本実施形態によれば、印画物作成装置１で社員証４のための顔画像を撮影する際に、利用者Ｐは社員証４の台紙デザインを複数の候補から選択できる。そのため、利用者Ｐは、自分の好みに合ったデザイン性の高い社員証４を作成することができる。また、印画物作成装置１が、サーバ２から利用者Ｐの社員情報を受信し、社員証４の券面とほぼ同じ画像をプリントした印画物５を作成するため、利用者Ｐは社員証４が作成されるまでの期間、印加物５を仮社員証として使用することができる。
【００５６】
上記実施形態では、コード読取部１７が二次元コードを読み取ることで識別情報が入力される例について説明したが、磁気カードやＩＣカードを読み込むカードリーダを設けてもよい。例えば、旧社員証が磁気カードやＩＣカードからなる場合、旧社員証をカードリーダにかざし、読み込ませることで、識別情報を入力することができる。
【００５７】
上記実施形態では、顔写真付き社員証を発行する例について説明したが、社員証に限定されず、スポーツクラブやファンクラブの会員証、学校の学生証など、様々なＩＤカードの発行に適用できる。
【００５８】
利用者Ｐが印画物作成装置１で所定の期間内に複数回撮影を行い、台紙デザインを選択した場合、サーバ２は最新の撮影時の顔画像及び選択された台紙デザインを用いて券面画像を作成することが好ましい。
【００５９】
サーバ２は、印画物作成装置１へ台紙デザインデータのみ送信し、社員情報は送信しなくてもよい。この場合、印画物作成装置１で作成される印画物５に利用者Ｐの氏名等は印字されないが、社員証４の完成イメージを確認することは可能である。
【００６０】
上記実施の形態はいずれも本発明の一例であり、本発明は図示以外の形態とされてもよい。
【符号の説明】
【００６１】
１  印画物作成装置
２  サーバ
３  カードプリンタ
４  社員証
５  印画物
【図１】
2019022954.tif 000003
【図２】
2019022954.tif 000004
【図３】
2019022954.tif 000005
【図４】
2019022954.tif 000006
【図５】
2019022954.tif 000007
【図６】
2019022954.tif 000008